(57)【要約】      （修正有）【課題】上下構成部の噛み合わせ結合強度、および、使用時の安全性を高めた椅子のアームレストを提供する。【解決手段】下部構成部３０は、一面の少なくとも両端に、それぞれ先端にフック部が突出形成された下部嵌め込み部３１を有する。上部構成部２０は、下部構成部に結合され、アームレスト外側パッド２１、内側パッド２２、内部合板２３を有する。内部合板は、アームレスト外側パッドに結合固定されており、下部嵌め込み部３１の対応位置に、少なくとも二個の嵌め込み穴２４０が設置され、嵌め込み穴は下部嵌め込み部の断面より大きい孔面積を有する。また、嵌め込み穴には、幅方向において、一端の縁から伸出片２４１が内側に伸びており、他端の底部に係止部が設置されている。下部嵌め込み部３１は、嵌め込み穴２４０内にはめ込まれ、フック部の噛み合わせ面が、係止部表面に当接する。【選択図】図２
0003197480.tif 000002
【実用新案登録請求の範囲】
【請求項１】
下部構成部と上部構成部とを備えて、
前記下部構成部は、一面の少なくとも両端に、それぞれ下部嵌め込み部を有し、前記下部嵌め込み部に弾性柱が形成されており、前記弾性柱の先端にフック部が突出して形成されており、前記フック部の前記弾性柱に隣接する位置に噛み合わせ面が設置されており、前記噛み合わせ面と前記弾性柱とが垂直であって、
前記上部構成部は、前記下部構成部に結合されており、アームレスト外側パッド、および、内部合板を有し、
前記内部合板は、前記アームレスト外側パッドに結合固定されており、前記内部合板の前記下部構成部に対応する前記下部嵌め込み部に、少なくとも二個の嵌め込み穴が設置されており、前記嵌め込み穴が前記下部嵌め込み部の断面より大きい孔面積を有し、
前記嵌め込み穴は、幅方向において、一端の縁から伸出片が内側に伸びており、他端の底部に係止部が設置されており、
前記下部嵌め込み部は、前記嵌め込み穴内にはめ込まれており、
前記下部嵌め込み部の前記フック部は、対応する前記嵌め込み穴内に収納されており、
前記噛み合わせ面は、前記係止部表面に当接し、
前記伸出片の自由端は、前記フック部から離れた前記噛み合わせ面の一方の面に隣接することを特徴とする椅子のアームレスト。
【請求項２】
前記下部構成部は、内部に複数の補強片が設置されていることを特徴とする請求項１に記載の椅子のアームレスト。
【請求項３】
前記下部構成部は、一端に、前記上部構成部に向いて、三個の下部嵌め込み部が突出して設置されており、他端に、二個の下部嵌め込み部が突出して設置されていることを特徴とする請求項１に記載の椅子のアームレスト。
【請求項４】
前記アームレスト外側パッドは、直方体であり、且つ、前記下部構成部に向いて、開口が形成されており、
前記内部合板は、周縁に近い位置に前記下部構成部に向いて、側縁が延伸して形成されており、前記上部構成部の内部にはめ込まれており、前記側縁が前記アームレスト外側パッドの係止縁内面に貼合されていることを特徴とする請求項１に記載の椅子のアームレスト。
【請求項５】
前記上部構成部は、内側パッドをさらに有し、前記内側パッドが前記アームレスト外側パッドと前記内部合板との間に挟まれて設置されていることを特徴とする請求項１に記載の椅子のアームレスト。
【請求項６】
前記アームレスト外側パッドは柔軟性材料で作られていることを特徴とする請求項１に記載の椅子のアームレスト。
【請求項７】
前記柔軟性材料は、熱可塑性ポリウレタンであることを特徴とする請求項６に記載の椅子のアームレスト。
【請求項８】
前記内側パッドは、発泡性材料またはウレタンで作られていることを特徴とする請求項５に記載の椅子のアームレスト。
【考案の詳細な説明】
【技術分野】
【０００１】
本考案は、家具の技術分野に応用され、特に、椅子のアームレストに関する。
【背景技術】
【０００２】
通常、人間工学の理論に適合し且つ座り心地を良くするために、椅子の両側にアームレストが設置されている。従来の椅子のアームレストは、上部構成部と下部構成部が結合されて固定され、且つ、上部構成部と下部構成部とは、嵌め込み式で結合させるものがほとんどである。しかしながら、一般の嵌め込み方式は、相互にはめ込んで位置を固定させるのみで、座る姿勢の変化や座る姿勢の不良等が、常にアームレストを振動させる原因となり、椅子のアームレストの上部構成部及び下部構成部の噛み合わせが緩んだり、脱落したりして、危険が発生する可能性がある。
【考案の概要】
【考案が解決しようとする課題】
【０００３】
したがって、本考案は、従来の技術の欠点である、上部構成部及び下部構成部の噛み合わせが緩んだり、脱落したりする問題を解決するためである。
【０００４】
本考案の目的は、結合強度、および、使用時の安全性を高める椅子のアームレストを提供することにある。
【課題を解決するための手段】
【０００５】
上記目的を達成するため、本考案による椅子のアームレストは、下部構成部と上部構成部とを備える。下部構成部は、一面の少なくとも両端に、それぞれ下部嵌め込み部を有し、下部嵌め込み部に弾性柱が形成されており、弾性柱の先端にフック部が突出して形成されており、フック部の弾性柱に隣接する位置に噛み合わせ面が設置されており、噛み合わせ面と弾性柱とが垂直である。上部構成部は、下部構成部に結合されており、アームレスト外側パッド、および、内部合板を有する。内部合板は、アームレスト外側パッドに結合固定されており、内部合板の下部構成部に対応する下部嵌め込み部に、少なくとも二個の嵌め込み穴が設置されており、嵌め込み穴が下部嵌め込み部の断面より大きい孔面積を有する。嵌め込み穴は、幅方向において、一端の縁から伸出片が内側に伸びており、他端の底部に係止部が設置されている。下部嵌め込み部は、嵌め込み穴内にはめ込まれている。下部嵌め込み部のフック部は、対応する嵌め込み穴内に収納されている。噛み合わせ面は、係止部表面に当接する。伸出片の自由端は、フック部から離れている噛み合わせ面の一方の面に隣接する。
【０００６】
本考案の椅子のアームレストは、上部構成部及び下部構成部の噛み合わせが緩んだり、脱落したりする問題（従来の技術の欠点である）を解決して、結合の強度を高めることができる。
【図面の簡単な説明】
【０００７】
【図１】本考案の一実施形態によるアームレストを椅子に応用した場合の分解斜視図である。
【図２】本考案の一実施形態によるアームレストを上から見た分解斜視図である。
【図３】本考案の一実施形態によるアームレストを下から見た分解斜視図である。
【図４】本考案の一実施形態によるアームレストの断面図である。
【図５】本考案の一実施形態によるアームレストの組み合わせ部の拡大図である。
【図６】本考案の一実施形態によるアームレストの組み合わせ部の拡大図である。
【図７】本考案の一実施形態によるアームレストの組み立て後の部拡大図である。
【考案を実施するための形態】
【０００８】
（一実施形態）
図１から図４及び図７に示したように、本考案の椅子のアームレストは、椅子１０の一部であり、且つ、椅子１０両側の支持柱１１に設置される。椅子のアームレストは、上部構成部２０及び下部構成部３０を備える。上部構成部２０は、アームレスト外側パッド２１、内側パッド２２及び内部合板２３を備える。
【０００９】
下部構成部３０は、支持柱１１に固定され、且つ、下部構成部３０内に複数の補強片３２が設置されて、下部構成部３０の強度を補強する。下部構成部３０は、上部構成部２０の一面に隣接し、少なくとも二個の下部嵌め込み部３１を有する。図に示したように、下部構成部３０の一端に、上部構成部２０の方向に向いて、三個の下部嵌め込み部３１が突出して設置され、他端に、二個の下部嵌め込み部３１が突出して設置される。下部嵌め込み部３１は、それぞれ弾性柱３１０が形成され、弾性柱３１０の先端に、フック部３１１が突出して形成される。フック部３１１は、弾性柱３１０に隣接する位置に噛み合わせ面３１２が設置される。噛み合わせ面３１２は、弾性柱に垂直である。
【００１０】
アームレスト外側パッド２１はケース状の形態で、且つ、下部構成部３０の方向に向かって、開口２１０が形成される。さらに、アームレスト外側パッド２１は、熱可塑性ポリウレタン（ウレタン樹脂）（Ｔｈｅｒｍｏｐｌａｓｔｉｃ  Ｐｏｌｙｕｒｅｔｈａｎｅ，ＴＰＵ）のような柔軟性材料が用いられて、アームレスト外側パッド２１底縁の開口２１０方向に、環状に係止縁２１１が形成される。
【００１１】
内側パッド２２は、アームレスト外側パッド２１内側に収納され、且つ、内側パッド２２の材料は、例えば、発泡性材料、ウレタン等の軟性材料である。
【００１２】
内部合板２３は、周縁に近い位置に下部構成部３０の方向に向かって、側縁２３０が延伸して形成され、且つ、内部合板２３は、上部構成部２０内部にはめ込まれる。側縁２３０は、アームレスト外側パッド２１の係止縁２１１内面に貼合されることで、内側パッド２２がアームレスト外側パッド２１及び内部合板２３の間に挟まれて設置される。且つ、アームレスト外側パッド２１は、内部合板２３と相互にはまり込んで固定される。内部合板２３の、下部構成部３０に対応する下部嵌め込み部３１には、複数の嵌め込み穴２４０が設置されて、嵌め込み穴２４０は、下部嵌め込み部３１の面積より大きい。且つ、嵌め込み穴２４０の一側には、伸出片２４１が伸びていて、他側底部には係止部２４２が設置される。下部嵌め込み部３１は、嵌め込み穴２４０内にはめ込まれる。すなわち、図に示したように、嵌め込み穴２４０は、下部嵌め込み部３１に対応して五個設置される。いずれの下部嵌め込み部３１のフック部３１１も、対応する嵌め込み穴２４０内に収納され、且つ、噛み合わせ面３１２は、係止部２４２表面に抵触する。伸出片２４１の自由端は、フック部３１１から離れた噛み合わせ面３１２の一面に隣接することで、下部嵌め込み部３１が、嵌め込み穴２４０から離脱するのを回避して、下部嵌め込み部３１が嵌め込み穴２４０に確実に固定されて結合される目的を達成して、下部構成部３０と上部構成部２０間の結合性を高める。このうち、嵌め込み穴２４０内には、全てに伸出片２４１を設置する必要はなく、必要に応じて少なくとも一個の嵌め込み穴２４０内に伸出片２４１が設置されればよい。
【００１３】
組み合わせる際は、図４及び図５に示したように、アームレスト外側パッド２１、内側パッド２２及び内部合板２３が、あらかじめ上部構成部２０に組み合わさって形成される。且つ、上部構成部２０の嵌め込み穴２４０は、下部構成部３０の下部嵌め込み部３１にちょうど対応する。以下に、単一で対応する嵌め込み穴２４０と下部嵌め込み部３１について説明する。下部嵌め込み部３１のフック部３１１は、係止部２４２に抵触して、弾性柱３１０が適度な弾力性を有することで、嵌め込み穴２４０の伸出片２４１方向に向かってフレキシブルに湾曲する。さらに、図６に示したように、伸出片２４１が押し付けられて、上に向かって弾力性を有して湾曲することにより、下部嵌め込み部３１のフック部３１１が嵌め込み穴２４０内に進入しやすくなる。同時に、図７を参照しながら説明する。下部嵌め込み部３１のフック部３１１が嵌め込み穴２４０内後に進入すると、下部嵌め込み部３１の弾性柱３１０の弾力性が回復することで、フック部３１１の噛み合わせ面３１２が係止部２４２表面に貼合する。さらに、フック部３１１が伸出片２４１から離脱し、伸出片２４１は弾力性を回復して元の状態に戻る。同時に、下部嵌め込み部３１後方に形成される。このため、上部構成部２０及び下部構成部３０が振動を受けた時、下部嵌め込み部３１のフック部３１１は、伸出片２４１端面の位置制限を受けて、伸出片２４１方向に向かって脱出せず、確実にかみ合った状態を形成することにより、上部構成部２０及び下部構成部３０が相互に離脱するのを回避して、使用時の安全性を高める。
【００１４】
以上、本考案の実施形態を図面に基づいて詳述してきたが、具体的な構成は、これらの実施形態に限られるものではなく、本考案の要旨を逸脱しない範囲の設計変更などがあっても、本考案に含まれる。
【符号の説明】
【００１５】
１０  椅子
１１  支持柱
２０  上部構成部
２１  アームレスト外側パッド
２１０  開口
２１１  係止縁
２２  内側パッド
２３  内部合板
２３０  側縁
２４０  嵌め込み穴
２４１  伸出片
２４２  係止部
３０  下部構成部
３１  下部嵌め込み部
３１０  弾性柱
３１１  フック部
３１２  噛み合わせ面
３２  補強片
【図１】
0003197480.tif 000003
【図２】
0003197480.tif 000004
【図３】
0003197480.tif 000005
【図４】
0003197480.tif 000006
【図５】
0003197480.tif 000007
【図６】
0003197480.tif 000008
【図７】
0003197480.tif 000009